【手続補正書】
【提出日】平成17年1月27日(2005.1.27)
【手続補正１】
【補正対象書類名】特許請求の範囲
【補正対象項目名】全文
【補正方法】変更
【補正の内容】
【特許請求の範囲】
【請求項１】
核磁気共鳴測定を行うための装置であって、
ａ）複数の核磁気共鳴サンプルに磁場を加えるための磁石と、
ｂ）この磁石の内孔に配置されたフロースルー核磁気共鳴プローブであって、核磁気共鳴測定がサンプルに対して行われるようにサンプルを順次保持するために、サンプルを順次受け取るための第１のポートと、第２のポートと、上記第１のポートおよび上記第２のポートを接続する内部のサンプル管部とを含むプローブと、
ｃ）押出し溶媒を保持するための押出し溶媒貯蔵部と、
ｄ）サンプルの１つをそれぞれが保持する複数のサンプル容器との間で順次流通が可能である可動性のサンプル移送導管であって、上記サンプル容器からサンプルを順次取り出すためのサンプル移送導管と、
ｅ）サンプルを順次保持し、かつサンプルおよび押出し溶媒を順次移すための一時的なサンプル保持貯蔵部と、
ｆ）ロード位置と注入位置との間を切り換えることができるバイパスバルブであって、
上記一時的なサンプル保持貯蔵部に流体的に接続された保持ポート、
上記サンプル移送導管に流体的に接続されたロードポート、および
上記プローブの上記第１のポートに流体的に接続された注入ポートを含み、
上記ロード位置において、上記バイパスバルブは、上記サンプル移送導管と上記一時的なサンプル保持貯蔵部との間においてサンプルを順次移送可能にするために、上記ロードポートと上記保持ポートとを接続し、そして
上記注入位置において、上記バイパスバルブは、上記一時的なサンプル保持貯蔵部と上記プローブの上記第１のポートとの間におけるサンプルおよび押出し溶媒の順次移送を可能にするために、上記保持ポートと上記注入ポートとを接続するバイパスバルブと、
ｇ）上記バイパスバルブとは反対側の上記一時的なサンプル保持貯蔵部に流体的に接続され、かつ上記押出し溶媒貯蔵部に接続された二方向ポンプであって、上記押出し溶媒貯蔵部から上記押出し溶媒を順次取り出し、かつ上記サンプル移送導管と上記一時的なサンプル保持貯蔵部との間におけるサンプルの順次移送を行わせ、かつ上記一時的なサンプル保持貯蔵部と上記プローブの上記第１のポートとの間におけるサンプルおよび押出し溶媒の順次移送を行わせるための二方向ポンプと、
ｈ）加圧されたフラッシングガスを上記プローブの上記第２のポートに順次供給して、上記プローブの上記第１のポートを介して上記プローブからサンプルを順次フラッシングするための、上記プローブの上記第２のポートに流体的に接続されたフラッシングガス供給源と、
ｉ）上記二方向ポンプ、上記バイパスバルブ、および上記フラッシングガス供給源に電気的に接続された制御電子機器であって、
上記押出し溶媒貯蔵部から押出し溶媒を順次取り出すために上記二方向ポンプを制御し、
上記バイパスバルブが上記ロード位置に設定されているときに、上記サンプル容器から上記バイパスバルブを介して上記一時的なサンプル保持貯蔵部の中にサンプルを順次ロードするために上記二方向ポンプを制御し、
上記バイパスバルブが上記注入位置に設定されているときに、上記一時的なサンプル保持貯蔵部から上記バイパスバルブを介して上記プローブの上記第１のポートの中にサンプルを順次注入するために上記二方向ポンプを制御し、そして
上記プローブの上記第１のポートを介して上記プローブからサンプルを順次フラッシングするために上記フラッシングガス供給源を制御するための、制御電子機器とを含む装置。
【請求項２】
上記制御電子装置が、上記一時的なサンプル保持貯蔵部の中にサンプルを順次フラッシングするために、上記プローブからサンプルをフラッシングしている間、上記バイパスバルブを上記ロード位置に設定する、請求項１に記載の装置。
【請求項３】
上記制御電子装置がさらに、上記バイパスバルブが上記ロード位置に設定されているとき、上記バイパスバルブおよびサンプル移送デバイスを介した上記一時的なサンプル保持貯蔵部からのサンプルの順次放出を制御する、請求項２に記載の装置。
【請求項４】
複数の核磁気共鳴サンプルをフロースルー核磁気共鳴プローブに順次移送するための装置であって、
ａ）サンプルの１つをそれぞれが保持する複数のサンプル容器との間で順次流通が可能であるサンプル移送導管であって、上記サンプル容器からサンプルを順次取り出すためのサンプル移送導管と、
ｂ）サンプルを順次保持するための一時的なサンプル保持貯蔵部と、
ｃ）ロード位置と注入位置との間を切り換えることができるバイパスバルブであって、
上記一時的なサンプル保持貯蔵部に流体的に接続された保持ポート、
上記サンプル移送導管に流体的に接続されたロードポート、および
上記プローブの入口ポートに流体的に接続された注入ポートを含み、
上記ロード位置において、上記バイパスバルブは、上記サンプル移送導管と上記一時的なサンプル保持貯蔵部との間におけるサンプルの順次移送を可能にするために、上記ロードポートと上記保持ポートとを接続し、そして
上記注入位置において、上記バイパスバルブは、上記一時的なサンプル保持貯蔵部と上記プローブの上記入口ポートとの間におけるサンプルの順次移送を可能にするために、上記保持ポートと上記注入ポートとを接続するバイパスバルブと、
ｄ）上記サンプル移送導管に流体的に接続されたポンプシステムであって、上記サンプル移送導管と上記一時的なサンプル保持貯蔵部との間におけるサンプルの順次移送を行わせ、かつ上記一時的なサンプル保持貯蔵部と上記プローブの上記入口ポートとの間におけるサンプルの順次移送を行わせるためのポンプシステムとを含む装置。
【請求項５】
上記プローブのフラッシングポートに流体的に接続されたフラッシング流体供給源であって、上記プローブの上記入口ポートを介して上記プローブからサンプルを順次フラッシングするために、加圧されたフラッシング流体を、内部のプローブ管部を介して上記入口ポートに接続された上記プローブのフラッシングポートに供給するためのフラッシング流体供給源をさらに含む、請求項４に記載の装置。
【請求項６】
上記ポンプシステムが、上記バイパスバルブが上記注入位置に設定されているときに、上記プローブから上記一時的なサンプル保持貯蔵部の中に上記バイパスバルブを介してサンプルの順次フラッシングを行うことができ、そして、上記バイパスバルブが上記ロード位置に設定されているときに、一時的なサンプル保持貯蔵部から上記サンプル移送導管に上記バイパスバルブを介してサンプルの順次フラッシングを行うことができる、請求項４に記載の装置。
【請求項７】
核磁気共鳴測定を行うための装置であって、
ａ）複数の核磁気共鳴サンプルに磁場を加えるための磁石と、
ｂ）この磁石の内孔に配置されたフロースルー核磁気共鳴プローブであって、サンプルを順次受け取るための第１のポートと、第２のポートと、上記第１のポートおよび上記第２のポートを接続する内部のサンプル管部とを含み、この内部のサンプル管部が、核磁気共鳴測定がサンプルに対して行われるようにサンプルを順次保持するためのフローセルを含む、プローブと、
ｃ）サンプルの１つをそれぞれが保持する複数のサンプル容器との間で順次流通が可能であるサンプル移送導管であって、上記サンプル容器からサンプルを順次取り出すためのサンプル移送導管と、
ｄ）サンプルのそれぞれを、これらのサンプルのそれぞれがサンプル移送デバイスによって上記サンプル容器から取り出された後、順次保持するための一時的なサンプル保持貯蔵部と、
ｅ）ロード位置と注入位置との間を切り換えることができるバイパスバルブであって、
上記サンプル移送導管に流体的に接続されたロードポート、
上記一時的なサンプル保持貯蔵部に流体的に接続された保持ポート、および
上記プローブの入口管部に流体的に接続された注入ポートを含み、
上記ロード位置において、上記ロードポートは、上記サンプル移送導管から上記一時的なサンプル保持貯蔵部にサンプルのそれぞれを通すことを可能にするために、上記保持ポートに流体的に接続され、そして
上記注入位置において、上記保持ポートは、上記サンプル保持貯蔵部から上記プローブの入口管部にサンプルのそれぞれを通すことを可能にするために、上記注入ポートに流体的に接続される、バイパスバルブとを含む装置。
【請求項８】
複数の核磁気共鳴サンプルをフロースルー核磁気共鳴プローブに順次移送するための装置であって、
ａ）マルチウエルサンプルホルダーからサンプルを順次取り出すための、可動性アームに取り付けられたサンプル取り出しニードルと、
ｂ）サンプルを順次保持するための保持ループと、
ｃ）ロード位置と注入位置との間を切り換えることができるバイパスバルブであって、
上記保持ループに流体的に接続された保持ポート、
上記サンプル取り出しニードルに流体的に接続されたロードポート、および
上記プローブの入口ポートに流体的に接続された注入ポートを含み、
上記ロード位置において、上記バイパスバルブは、上記サンプル取り出しニードルから上記保持ループの中へのサンプルの順次移送を可能にするために、上記ロードポートと上記保持ポートとを接続し、そして
上記注入位置において、上記バイパスバルブは、上記保持ループから上記プローブの上記入口ポートへのサンプルの順次移送を可能にするために、上記保持ポートと注入ポートとを接続するバイパスバルブと、
ｄ）上記サンプル取り出しニードルに流体的に接続されたシリンジポンプであって、上記バイパスバルブが上記ロード位置に設定されているときに、上記サンプル取り出しニードルから上記保持ループの中へのサンプルの順次移送を行わせ、そして上記バイパスバルブが上記注入位置に設定されているときに、上記保持ループから上記プローブの上記入口ポートへのサンプルの順次移送を行わせるためのシリンジポンプとを含む装置。
【請求項９】
上記プローブのフラッシングポートに流体的に接続されたフラッシングガス供給源であって、上記プローブの上記入口ポートを介して上記プローブからサンプルを順次フラッシングするために、加圧されたフラッシングガスを、内部のプローブ管部を介して上記入口ポートに接続された上記プローブのフラッシングポートに供給するためのフラッシングガス供給源をさらに含む、請求項８に記載の装置。
【請求項１０】
複数のサンプルを核磁気共鳴プローブに移送する方法であって、
ａ）ロード位置に設定されたバイパスバルブを介して、サンプルのそれぞれを対応するサンプル容器から一時的な保持貯蔵部の中に取り出す工程と、
ｂ）注入位置に設定された上記バイパスバルブを介して、サンプルのそれぞれを上記一時的な保持貯蔵部から上記プローブの入口ポートに注入する工程とを含む方法。
【請求項１１】
フラッシング流体を上記プローブのフラッシングポートに供給することによってサンプルのそれぞれをフラッシングする工程をさらに含み、上記フラッシングポートが、上記入口ポートを介して上記プローブからサンプルのそれぞれをフラッシングするために、内部のプローブ管部を介して上記入口ポートに接続されている、請求項１０に記載の方法。
【請求項１２】
サンプルのそれぞれが上記プローブ内に保持されているときに、核磁気共鳴測定を、サンプルのそれぞれに対して行う工程をさらに含む、請求項１０に記載の方法。
【請求項１３】
複数の核磁気共鳴サンプルをフロースルー核磁気共鳴プローブに順次移送するための装置であって、
ａ）サンプルの１つをそれぞれが保持する複数のサンプル容器との間で順次流通が可能であるサンプル移送手段であって、サンプル容器から順次サンプルを取り出すためのサンプル移送手段と、
ｂ）サンプルを順次保持するための一時的なサンプル保持手段と、
ｃ）ロード位置と注入位置との間を切り換えることができるバイパス手段であって、
上記ロード位置において、上記バイパス手段は、上記サンプル移送手段と上記一時的なサンプル保持手段との間におけるサンプルの順次移送を可能にするために、上記サンプル移送手段を上記一時的なサンプル保持手段に接続し、そして
上記注入位置において、上記バイパス手段は、上記一時的なサンプル保持手段と上記プローブとの間におけるサンプルの順次移送を可能にするために、上記一時的なサンプル保持手段を上記プローブに接続するバイパス手段と、
ｄ）上記サンプル移送手段に流体的に接続されたポンプ手段であって、上記サンプル移送手段と上記一時的なサンプル保持手段との間におけるサンプルの順次移送を行わせ、かつ上記一時的なサンプル保持手段と上記プローブとの間におけるサンプルの順次移送を行わせるためのポンプ手段とを含む装置。